(57)【特許請求の範囲】
【請求項１】
埋込型照明器具であって、
器具本体と、
取付バネと、
前記器具本体の周方向に複数配設され、前記取付バネを固定する保持部と、
を備え、
前記保持部は、対向する一対のガイドを有するとともに、前記各ガイドに係止部を有し、
前記取付バネは、一端側に前記ガイドに沿って移動自在に保持される差込部と、前記差込部の両側に形成され、それぞれ前記ガイドの前記係止部に係合する被係止部と、を有するとともに、他端側に壁面押圧部を有し、
前記差込部が前記保持部に保持され、かつ、両側の前記被係止部が前記係止部に係合することで、前記取付バネは前記保持部に固定される、埋込型照明器具。
【請求項２】
請求項１に記載の埋込型照明器具であって、
前記係止部は、前記各ガイドの上下方向に複数形成され、
前記被係止部は、複数の前記係止部のいずれかに係合することで、前記取付バネは前記保持部に固定される、埋込型照明器具。
【請求項３】
請求項２に記載の埋込型照明器具であって、
前記差込部は、自由端側に前記被係止部を有し、かつ、前記被係止部に対して壁面押圧部側に、前記ガイドの内側に当接する被保持部を有する、埋込型照明器具。
【請求項４】
請求項３に記載の埋込型照明器具であって、
前記差込部は、前記被保持部より自由端側に、前記ガイドの外側に突出する操作部を有するとともに、前記操作部に前記被係止部を設け、前記係止部と前記被係止部とは、前記ガイドの外側において係合する、埋込型照明器具。
【発明の詳細な説明】
【技術分野】
【０００１】
本発明は、埋込型照明器具に関し、より詳しくは、埋込型照明器具の取付壁部への取付構造に関する。
【背景技術】
【０００２】
従来、天井等の取付壁部に形成された取付穴に埋め込まれて設置される、埋込型照明器具が知られている。この種の埋込型照明器具として、光を出射させる開口部が下部に形成された器具本体と、器具本体の内部に設けられた光源部と、開口部の外周縁に形成されたフランジとを備え、固定手段として、取付バネを備えたものが知られている（例えば、特許文献１参照。）。
【０００３】
特許文献１の取付バネは、フランジの周方向に複数配設され、フランジの上方から斜め上方に向けて形成されており、器具本体と取付バネとの固定は、取付バネの幅方向中心線上に設けられる係止孔が、器具本体側の係止突起部に係止することにより行われている。このため特許文献１の取付バネは、器具本体に対して左右に振れやすく、取付バネと器具本体との固定が不安定であるという問題がある（特許文献１の図１参照。）。
【０００４】
一方、取付バネによる取付力は、埋込型照明器具の重さを支えるだけの強度では不足であり、埋込型照明器具の上部に被せられた断熱材などの重みが加わっても容易に外れない強度を持たせる必要がある。一般に取付バネは、薄い取付壁部（例えば、５ｍｍ）から厚い取付壁部（例えば、２５ｍｍ）まで対応できるが、取付バネの取付力は、取付壁部の厚みによって変動し、薄い取付壁部の場合は取付力は大きいが、厚い取付壁部の場合は取付力は小さくなる。
【０００５】
特許文献１の取付バネは、取付壁部が薄い場合と厚い場合とで、一定以上の取付力の強度を保つために、器具本体に対する取付バネの固定位置を調整できるように構成されている。しかしながら、特許文献１では、取付バネの幅方向中心線上に設けられる係止孔の横をガイドで押さえられているため、係止孔が器具本体側の係止突起部に一旦係止すると外れ難く、器具本体に対する取付バネの固定位置を調整し難いという問題がある（特許文献１の図１参照。）。
【先行技術文献】
【特許文献】
【０００６】
【特許文献１】特許第３８２３３４９号公報
【発明の概要】
【発明が解決しようとする課題】
【０００７】
本発明は、前記課題を解消するためになされたものであり、取付バネが器具本体に対して安定して固定される埋込型照明器具を提供することを第１の目的とし、器具本体に対する取付バネの固定位置を容易に調整できる埋込型照明器具を提供することを第２の目的とする。
【課題を解決するための手段】
【０００８】
本発明の解決しようとする課題は以上の如くであり、次にこの課題を解決するための手段を説明する。
【０００９】
即ち、第１の発明は、埋込型照明器具であって、器具本体と、取付バネと、前記器具本体の周方向に複数配設され、前記取付バネを固定する保持部と、を備え、前記保持部は、対向する一対のガイドを有するとともに、前記各ガイドに係止部を有し、前記取付バネは、一端側に前記ガイドに沿って移動自在に保持される差込部と、前記差込部の両側に形成され、それぞれ前記ガイドの前記係止部に係合する被係止部と、を有するとともに、他端側に壁面押圧部を有し、前記差込部が前記保持部に保持され、かつ、両側の前記被係止部が前記係止部に係合することで、前記取付バネは前記保持部に固定される、埋込型照明器具とする。
【００１０】
第２発明は、第１発明において、前記係止部は、前記各ガイドの上下方向に複数形成され、前記被係止部は、複数の前記係止部のいずれかに係合することで、前記取付バネは前記保持部に固定される、埋込型照明器具とする。
【００１１】
第３発明は、第２発明において、前記差込部は、自由端側に前記被係止部を有し、かつ、前記被係止部に対して壁面押圧部側に、前記ガイドの内側に当接する被保持部を有する、埋込型照明器具とする。
【００１２】
第４の発明は、第３の発明において、前記差込部は、前記被保持部より自由端側に、前記ガイドの外側に突出する操作部を有するとともに、前記操作部に前記被係止部を設け、前記係止部と前記被係止部とは、前記ガイドの外側において係合する、埋込型照明器具とする。
【発明の効果】
【００１３】
本発明の効果として、以下に示すような効果を奏する。
【００１４】
第１の発明によれば、前記保持部は、対向する一対の上下方向のガイドを有するとともに、前記各ガイドに係止部を有し、前記取付バネは、一端側に前記ガイドに沿って移動自在に保持される差込部と、前記差込部の両側に形成され、それぞれ前記ガイドの前記係止部に係合する被係止部と、を有するとともに、他端側に壁面押圧部を有し、前記差込部が前記保持部に保持され、かつ、両側の前記被係止部が前記係止部に係合することで、前記取付バネは前記保持部に固定されるため、取付バネが器具本体に対して安定して固定される。
【００１５】
第２の発明によれば、前記係止部は、前記各ガイドの上下方向に複数形成され、前記被係止部は、複数の前記係止部のいずれかに係合することで、前記取付バネは前記保持部に固定されるため、器具本体に対する取付バネの固定位置を容易に調整することができる。
【００１６】
第３の発明によれば、前記差込部は、自由端側に前記被係止部を有し、かつ、前記被係止部に対して壁面押圧部側に、前記ガイドの内側に当接する被保持部を有するため、被保持部よりも自由端側の部分はガイドに規制されずに湾曲させることができ、係止部と被係止部との係合及び解除を容易に行うことができる。このため、器具本体に対する取付バネの固定位置を容易に調整することができる。
【００１７】
第４の発明によれば、前記差込部は、前記被保持部より自由端側に、前記ガイドの外側に突出する操作部を有するとともに、前記操作部に前記被係止部を設け、前記係止部と前記被係止部とは、前記ガイドの外側において係合するため、係止部と被係止部との係合及び解除をガイドの外側に突出する操作部の操作により行うことができる。このため、器具本体に対する取付バネの固定位置を容易に調整することができる。
【図面の簡単な説明】
【００１８】
【図１】本発明の実施例１に係る埋込型照明器具１００の斜視図。
【図２】埋込型照明器具１００の側面図。
【図３】取付バネ３１の側面図。
【図４】図２の４−４線における断面簡略図。
【図５】薄い取付壁部Ｃに取り付けた状態を示す断面簡略図。
【図６】第１ガイド部材２４の第１係止部２７と差込部３２の被係止部３８との係合を解除した状態を示す断面簡略図。
【図７】器具本体１１に対する取付バネ３１の固定位置を変更した状態を示す断面簡略図。
【図８】厚い取付壁部Ｃに取り付けた状態を示す断面簡略図。
【発明を実施するための形態】
【００１９】
次に、発明の実施の形態について図を用いて説明する。
【実施例１】
【００２０】
本発明の実施例１に係る埋込型照明器具１００について、図１から図８を用いて説明する。実施例１の埋込型照明器具１００は、天井等の取付壁部Ｃに形成される取付穴Ｈに埋め込まれて設置されるものである。以下の説明では、埋込型照明器具１００の中心軸の方向を上下方向とし、開口部１２が設けられている側を下方として説明する。図１から図８においては図面右上の矢印方向を上方とする。また、器具本体１１の中心側を内側とし、その反対側を外側とする。埋込型照明器具１００は、図１から図４に示すように、器具本体１１、フランジ１３、取付バネ３１を有している。器具本体１１には、光源（例えばＬＥＤ）や点灯装置、点灯装置を外部電源に電気的に接続するための電線等が配置されるが、詳細な説明及び図示は省略する。
【００２１】
器具本体１１は、熱伝導性を有するアルミニウム等の金属素材を用いた略円筒状であり、側壁部の外周面には、複数の放熱フィン１４と保持部２１とが設けられている。放熱フィン１４は器具本体１１の上下方向に形成され、平面視において放射状に設けられている。側壁部の下部には、光源からの光を出射させる開口部１２が形成されており、開口部１２の外周縁にフランジ１３が形成されている。フランジ１３は、埋込型照明器具１００を例えば天井の取付穴Ｈに設置した状態で天井の下面側に接触する部分である。
【００２２】
保持部２１は、取付バネ３１を器具本体１１に固定する部分であり、複数の保持部２１が器具本体１１の周方向に等間隔に配設されている。保持部２１は、対向する一対のガイド２２と押圧部２３を有している。ガイド２２は、第１ガイド部材２４と第２ガイド部材２５を有しており、第１ガイド部材２４は、器具本体１１側の面（内側の面）にガイド面２６を有し（図４参照。）、対向するガイド２２の第１ガイド部材２４との間に所定の間隔を確保するように設けられる。対向する第１ガイド部材２４の端部には、それぞれ第１係止部２７と第２係止部２８が形成されている。
【００２３】
第１係止部２７と第２係止部２８はそれぞれ第１ガイド部材２４の端部を切欠いた形状であり、上下方向に間隔をおいて形成されている。第１係止部２７と第２係止部２８には、後記説明する取付バネ３１の被係止部３８が係合する。尚、第１係止部２７と第２係止部２８は、貫通孔や、第１ガイド部材２４の外側（ガイド面２６に対して反対側）に形成した凹部等であってもよい。
【００２４】
第２ガイド部材２５は、第１ガイド部材２４を器具本体１１に支持するとともに、第１ガイド部材２４と器具本体１１の外周面との間に取付バネ３１を保持する間隔を設ける。各ガイド２２の水平方向の断面形状は略Ｌ字状である。押圧部２３は、一対のガイド２２の間に立設される一対のリブ状の部材であり、第１ガイド部材２４とで取付バネ３１を挟持する。
【００２５】
取付バネ３１は、ステンレス素材等の板状材を屈曲させて形成されており、一端側に差込部３２を有し、他端側に壁面押圧部３３を有する。埋込型照明器具１００を取付穴Ｈに設置した状態において、壁面押圧部３３は、フランジ１３との間で取付壁部Ｃを挟持し、埋込型照明器具１００を取付壁部Ｃに固定する。壁面押圧部３３は、差込部３２の下端より略円弧状に延設され、自由端部には、鉤状に折り曲げられた抜止め３４が形成されている。
【００２６】
差込部３２は、保持部２１の一対のガイド２２に沿って移動自在に保持される部分である。差込部３２は、自由端側に操作部３５が設けられ、操作部３５よりも壁面押圧部３３側に差込部主体３６が設けられており、差込部主体３６と操作部３５とが接続部３７で段を付けて接続されている。
【００２７】
また、操作部３５の両側には、第１ガイド部材２４の係止部に外側から係合する被係止部３８が設けられ、差込部主体３６の両側には、第１ガイド部材２４のガイド面２６に当接する被保持部３９が設けられる。
【００２８】
被係止部３８と被保持部３９での横幅は、対向して設けられる第１ガイド部材２４間の間隔より広く形成され、第１ガイド部材２４間を通過することはできないように設定されている。これに対して、被係止部３８と被保持部３９を除いた差込部主体３６と操作部３５と接続部３７の横幅は、対向して設けられる第１ガイド部材２４間の間隔より狭く形成され、対向する第１ガイド部材２４間を通過可能に設定されている。
【００２９】
次に、器具本体１１と取付バネ３１との組み付けについて説明する。図１、図２に示すように、取付バネ３１の差込部３２を器具本体１１の保持部２１に差し込む。この際、図４に示すように、差込部主体３６が第１ガイド部材２４のガイド面２６側に配置され、操作部３５が第１ガイド部材２４の外側に配置されるように、差込部３２を保持部２１に差し込むようにする。
【００３０】
差込部３２が保持部２１に差し込まれた状態では、差込部主体３６は、第１ガイド部材２４のガイド面２６に当接する被保持部３９が設けられているため、対向する第１ガイド部材２４間を通過することはできず、第１ガイド部材２４と押圧部２３材とで挟持されることで保持される。一方、操作部３５の被係止部３８は、第１ガイド部材２４の第１係止部２７に外側から係合している。このため、差込部３２は上下方向の移動が阻止され、取付バネ３１が保持部２１に固定される。
【００３１】
次に、取付壁部Ｃが薄い場合（例えば、５ｍｍ）と厚い場合（例えば、２５ｍｍ）における埋込型照明器具１００の取り付けと、取付壁部Ｃの厚さに応じた取付バネ３１の固定位置の調整について、図４から図８に沿って説明する。
【００３２】
まず、図４は、器具本体１１に対して取付バネ３１を取り付けた状態であり、取付壁部Ｃに埋込型照明器具１００を取り付ける前の状態である。取付バネ３１の固定位置は、薄い取付壁部Ｃに対応した固定位置であり、操作部３５の被係止部３８を第１ガイド部材２４の第１係止部２７に係合させている。
【００３３】
図５は、埋込型照明器具１００を薄い取付壁部Ｃに取り付けた状態を示している。取付バネ３１は広く拡開しており、取付バネ３１が更に拡開しようとする弾性的な付勢力が取付壁部Ｃの取付穴Ｈの縁部に下向きに作用する。このため器具本体１１には上方に引き上げられる力が作用し、フランジ１３が取付壁部Ｃの下面に圧接した状態となって、埋込型照明器具１００が取付壁部Ｃに設置される。このように、取付バネ３１が広く拡開していると取付バネ３１の取付力は大きくなる。
【００３４】
次に、取付バネ３１の固定位置を厚い取付壁部Ｃに対応した固定位置に変更する場合について説明する。取付バネ３１の固定位置の変更は、まず、図６に示すように、第１ガイド部材２４の第１係止部２７と差込部３２の被係止部３８との係合を解除する。前述のように、被保持部３９を除いた差込部主体３６と接続部３７の横幅は、対向して設けられる第１ガイド部材２４間の間隔より狭く形成され、第１ガイド部材２４間を通過可能に設定されている。このため、操作部３５の上端を手指等で外側に引くと、第１ガイド部材２４のガイド面２６に当接する被保持部３９より上方の部分、すなわち、差込部主体３６のうち被保持部３９より上方の部分と接続部３７とが、第１ガイド部材２４間を通過して外側に移動し、操作部３５も外側に移動する。これにより第１ガイド部材２４の第１係止部２７と差込部３２の被係止部３８との係合を解除することができる。第１ガイド部材２４の第１係止部２７と差込部３２の被係止部３８との係合を解除した状態のまま、取付バネ３１を上方に移動させる。
【００３５】
取付バネ３１を上方に移動させ、差込部３２の被係止部３８と第１ガイド部材２４の第２係止部２８とが対向する位置となったところで、操作部３５の上端を戻すことにより、図７に示すように、第１ガイド部材２４の第２係止部２８と差込部３２の被係止部３８とが係合し、この位置で取付バネ３１が保持部２１に固定される。
【００３６】
図８の実線で示した取付バネ３１は、取付バネ３１の固定位置を厚い取付壁部Ｃに対応した固定位置にした状態で、埋込型照明器具１００を厚い取付壁部Ｃに取り付けた状態を示しており、２点鎖線で示した取付バネ３１は、取付バネ３１の固定位置を薄い取付壁部Ｃに対応した固定位置にした状態のままで、埋込型照明器具１００を厚い取付壁部Ｃに取り付けた状態を示している。
【００３７】
図８の実線で示す取付バネ３１は、２点鎖線で示した取付バネ３１よりも広く拡開しており、取付バネ３１の固定位置を厚い取付壁部Ｃに対応した固定位置にした場合のほうが、取付バネ３１の固定位置を薄い取付壁部Ｃに対応した固定位置にした場合よりも取付バネ３１の取付力は大きい。
【００３８】
以上説明した実施例１に係る埋込型照明器具１００によれば、次のような効果を有する。
【００３９】
保持部２１は、対向する一対の上下方向のガイド２２を有するとともに、各ガイド２２に第１係止部２７と第２係止部２８とを有し、取付バネ３１は、一端側にガイド２２に沿って移動自在に保持される差込部３２と、差込部３２の両側に形成され、それぞれガイド２２の第１係止部２７又は第２係止部２８に係合する被係止部３８と、を有するとともに、他端側に壁面押圧部３３を有し、差込部３２が保持部２１に保持され、かつ、両側の被係止部３８が第１係止部２７又は第２係止部２８に係合することで、取付バネ３１は保持部２１に固定されるため、取付バネ３１が器具本体１１に対して安定して固定される。
【００４０】
各ガイド２２の上下方向に第１係止部２７と第２係止部２８が形成され、取付バネ３１の被係止部３８は、第１係止部２７と第２係止部２８のいずれかに係合することで、取付バネ３１は保持部２１に固定されるため、器具本体１１に対する取付バネ３１の固定位置を容易に調整することができる。
【００４１】
差込部３２は、自由端側に被係止部３８を有し、かつ、被係止部３８に対して壁面押圧部３３側に、ガイド２２の内側に当接する被保持部３９を有するため、被保持部３９よりも自由端側の部分はガイド２２に規制されずに湾曲させることができ、第１係止部２７又は第２係止部２８と被係止部３８との係合及び解除を容易に行うことができる。このため、器具本体１１に対する取付バネ３１の固定位置を容易に調整することができる。
【００４２】
差込部３２は、被保持部３９より自由端側に、ガイド２２の外側に突出する操作部３５を有するとともに、操作部３５に被係止部３８を設け、第１係止部２７又は第２係止部２８と被係止部３８とは、ガイド２２の外側において係合するため、第１係止部２７又は第２係止部２８と被係止部３８との係合及び解除をガイド２２の外側に突出する操作部３５の操作により行うことができる。このため、器具本体１１に対する取付バネ３１の固定位置を容易に調整することができる。
【００４３】
以上、本発明の実施の形態について説明したが、本発明は上記実施例に限定されるものではなく、様々な変更が可能である。例えば、係止部は第１係止部２７と第２係止部２８の２つとしたが、３つ以上であってもよい。この場合、種々の厚さの取付壁部Ｃに対応することができる。また、係止部を１つとした場合、器具本体１１に対する取付バネ３１の固定位置の調整はできないものの、操作部３５の両側に設けた被係止部３８が、ガイド２２の外側において係合するため、取付バネ３１を器具本体１１に対して安定して固定することができる。
【００４４】
以上説明した本発明の技術的範囲は、上記実施例に限定されるものではなく、上記実施例の形状に限定されない。本発明の技術的範囲は、本明細書及び図面に記載した事項から明らかになる本発明が真に意図する技術的思想の範囲全体に、広く及ぶものである。
【符号の説明】
【００４５】
１００  埋込型照明器具
１１    器具本体
１２    開口部
１３    フランジ
１４    放熱フィン
２１    保持部
２２    ガイド
２３    押圧部
２４    第１ガイド部材
２５    第２ガイド部材
２６    ガイド面
２７    第１係止部
２８    第２係止部
３１    取付バネ
３２    差込部
３３    壁面押圧部
３４    抜止め
３５    操作部
３６    差込部主体
３７    接続部
３８    被係止部
３９    被保持部
Ｃ    取付壁部
Ｈ    取付穴
【図１】
0005519351.tif 000002
【図２】
0005519351.tif 000003
【図３】
0005519351.tif 000004
【図４】
0005519351.tif 000005
【図５】
0005519351.tif 000006
【図６】
0005519351.tif 000007
【図７】
0005519351.tif 000008
【図８】
0005519351.tif 000009